(57)【要約】【課題】展開収納可能なフレームを備える寝具構造を提供する。【解決手段】拘束部１１、被覆部１２および数個のフレーム部１３を備える。被覆部１２は拘束部１１と接続され、被覆部１２は少なくとも一つの開口部１４を備える。数個のフレーム部１３は被覆部１２内に所定の配列で設けられて二つの弧状曲面１３１を形成し、それぞれの弧状曲面１３１は交差端１３２によって他の弧状曲面１３１と接する。フレーム部１３は貼合端１３３で寝具外縁を規定する拘束部１１の外縁周囲と接して支持され、その交差端１３２を最高点とするドーム形状にして空間を形成する。各フレーム部の交差端を折り曲げ点として２つに折り畳み、次いで線１２１を折り返し線として交互に折り畳むことにより収納する。【選択図】  図２
2007151697.tif 000002
【特許請求の範囲】
【請求項１】
拘束部、被覆部および数個のフレーム部からなり、
前記被覆部は、前記拘束部と接続されると共に少なくとも一つの開口部を備え、
前記数個のフレーム部は、前記被覆部内に所定の配列で設けられ、前記フレーム部は拘束部の外縁周囲と接する二つの貼合端を備えると共に少なくとも一つの交差端において接続されることによって少なくとも二つの弧状曲面を形成し、前記二つの貼合端はそれぞれ拘束部の外縁周囲と接して支持されることにより、その弾力によって前記被覆部を支持して前記交差端を実質的な最高点として前記拘束部からの高さを形成し、
数個のフレーム部が前記被覆部内に所定の配列で設けられることによって、数個の交差端は所定の形状に配列され、該交差端で折り曲げてそれぞれのフレーム部を密着させて折り畳み、前記フレーム部の対応するそれぞれの弧状曲面を密着させることによって、収納可能としたことを特徴とする展開収納可能なフレームを備える寝具構造。
【請求項２】
前記フレーム部は、弾性部材であり、前記二つの貼合端を前記拘束部の外縁周囲と接して拘束することにより、その弾力によって前記被覆部を支持して前記拘束部からの高さを形成することを特徴とする請求項１記載の展開収納可能なフレームを備える寝具構造。
【請求項３】
前記フレーム部は、さらに少なくとも一つの結合部材を備え、前記結合部材は二つの前記弧状曲面を接続するか、または前記フレーム部ともう一つのフレーム部とを接続することを特徴とする請求項１記載の展開収納可能なフレームを備える寝具構造。
【請求項４】
前記寝具構造は、さらに可動フレーム部を備え、前記可動フレーム部は二つの接続端によって前記被覆部と接続され、前記開口部分に対応することを特徴とする請求項１記載の展開収納可能なフレームを備える寝具構造。
【請求項５】
前記寝具構造は、さらに少なくとも一つの補助フレーム部を備え、前記補助フレーム部は被覆部内に設けられることを特徴とする請求項１記載の展開収納可能なフレームを備える寝具構造。
【請求項６】
前記拘束部は、前記被覆部の外縁周囲に位置することを特徴とする請求項１記載の展開収納可能なフレームを備える寝具構造。
【請求項７】
前記フレーム部は、さらに少なくとも一つの連結フレーム体を備え、前記連結フレーム体は交差端によってそれぞれ二つの前記弧状曲面に接続されることを特徴とする請求項１記載の展開収納可能なフレームを備える寝具構造。
【請求項８】
拘束部、被覆部および数個のフレーム部からなり、
前記被覆部は、前記拘束部と接続され、前記被覆部は少なくとも一つの開口部を備え、
前記数個のフレーム部は、前記被覆部内に放射状に配列されて設けられ、数個のフレーム部が中心端で交差し、前記フレーム部はさらに前記中心端両側に位置する二つのフレーム体を備え、前記二つのフレーム体はそれぞれ支持端によって、前記拘束部の外縁周囲と接し、前記中心端を実質的な最高点として前記被覆部を支持して前記拘束部からの距離を形成し、
それぞれのフレーム部を密着させて折り畳み、前記フレーム部の対応する二つのフレーム体を密着させることによって、収納可能としたことを特徴とする展開収納可能なフレームを備える寝具構造。
【請求項９】
前記寝具構造は、さらに少なくとも一つの結合部材を備え、前記結合部材は前記中心端に位置し、前記フレーム部を接続することを特徴とする請求項８記載の展開収納可能なフレームを備える寝具構造。
【請求項１０】
前記フレーム部は、弾性部材であり、前記二つの支持端を拘束して前記拘束部の外縁周囲と接し、その弾力によって前記被覆部を支持して前記拘束部からの距離を形成することを特徴とする請求項８記載の展開収納可能なフレームを備える寝具構造。
【請求項１１】
前記フレーム部は、さらに少なくとも二つの弧状曲面を備え、前記弧状曲面のそれぞれは前記中心端によって他の弧状曲面と接することを特徴とする請求項８記載の展開収納可能なフレームを備える寝具構造。
【発明の詳細な説明】
【技術分野】
【０００１】
本発明は寝具構造に関し、特に展開収納可能なフレーム構造を備える寝具構造に関する。
【背景技術】
【０００２】
寝具において最も優先的に考慮されるのはマットと掛け布団である。マットを選ぶとき、先ずその大きさを確認し、自らマットの上に寝てみて体が自然にリラックスできるかどうかを確認する必要がある。それから暖かい掛け布団を選ぶのだが、適正なマットと掛け布団は人々に幸福感を与えることができるものである。
【０００３】
寝袋は現代人にとってもう一つの選択枝である。一般に寝袋は使用と収納に便利であり、通常固定された材質と厚さとを備え、デザインが簡単であり、人体の形状に符合した設計となっている。しかし、基本的に寝袋内で活動できる空間は殆どなく、人体に接して保温効果に優れるが、蒸れるという欠点が存在する。
【０００４】
寝袋は他の寝具と異なり、携帯でき、使用にも収納にも便利であるが通気性が悪くて蒸れることと、活動範囲が殆どないという欠点から人々にあまり使用されなくなっている。これだけでなく、例えば寝袋、テント、掛け布団またはボールハウスなども同様の欠点があり、現代の多元化社会において、寝具によって快適な睡眠環境を提供する以外に、その他の機能によって消費者の必要を満足させ、寝具の使用率およびシェアを高めることは業者の目標であった。
【特許文献１】特開平９−１８２６５３号公報
【発明の開示】
【発明が解決しようとする課題】
【０００５】
本発明の第１の目的は、被覆部内に折り畳むことができるフレームを設置した設計によって寝具の収納および展開を行なうことができる展開収納可能なフレームを備える寝具構造を提供することにある。
本発明の第２の目的は、フレーム構造と被覆本体とを分離でき、寝具の迅速な収納と組立とができる展開収納可能なフレームを備える寝具構造を提供することにある。
本発明の第３の目的は、被覆部内にフレーム構造を設けて被覆部を持ち上げる設計によって寝具は比較的大きな収容空間および通風機能を有することができる展開収納可能なフレームを備える寝具構造を提供することにある。
本発明の第４の目的は、被覆部と拘束部との間に収容空間を形成し、幼児の隠れて遊びたい願望を満たすことができ、安全な遊戯施設を提供できる展開収納可能なフレームを備える寝具構造を提供することにある。
【課題を解決するための手段】
【０００６】
上記目的を解決するために、本発明は展開収納可能なフレームを備える寝具構造を提供するものであり、拘束部、被覆部および数個のフレーム部を備える。被覆部は拘束部と接続され、被覆部は少なくとも一つの開口部を備える。数個のフレーム部は被覆部内に所定の配列で設けられ、フレーム部はさらに少なくとも二つの弧状曲面を備え、それぞれの弧状曲面は交差端によって他の弧状曲面と接する。フレーム部はさらに二つの貼合端を備え、拘束部の外縁周囲と接して拘束され、その拘束支持によって交差端を実質的な最高点にし、被覆部を支持して拘束部からの高さを形成する。
【０００７】
数個のフレーム部が被覆部内に所定の配列で設けられることによって、数個の交差端は所定の形状を呈して折り返し線となるよう配列され、対応するそれぞれのフレーム部を密着させて折り畳み、フレーム部の対応するそれぞれの弧状曲面を密着させることによって、寝具構造が収納される。
【０００８】
上述の目的を解決するために、本発明は展開収納可能なフレームを備える寝具構造のもう一つの実施例を提供し、本実施例における寝具構造は、拘束部、被覆部および数個のフレーム部を備える。被覆部は拘束部と接続され、被覆部は少なくとも一つの開口部を備える。数個のフレーム部は被覆部内に放射状に配列されて設けられ、数個のフレーム部が中心端で交差している。フレーム部はさらに中心端両側に位置する二つのフレーム体を備え、二つのフレーム体はそれぞれ支持端によって、拘束部の外縁周囲と接して拘束されて、中心端を実質的な最高点にし、被覆部を支持して拘束部からの距離を形成している。
【０００９】
対応するそれぞれのフレーム部を密着させ、フレーム部の対応する二つのフレーム体を相互に密着させることによって、寝具構造が収納される。
【発明の効果】
【００１０】
被覆部内に折り畳むことができるフレームを設置した設計によって寝具の収納および展開を行なうことができる。
フレーム構造と被覆本体とを分離でき、寝具の迅速な収納と組立とができる。
被覆部内にフレーム構造を設けて被覆部を持ち上げる設計によって寝具は比較的大きな収容空間および通風機能を有することができる。
被覆部と拘束部との間に収容空間を形成し、幼児の隠れて遊びたい願望を満たすことができ、安全な遊戯施設を提供できる。
【発明を実施するための最良の形態】
【００１１】
本発明の特徴および構造を詳細に示す実施例を図に沿って下記に説明する。
【００１２】
図１、２、３は本発明の展開収納可能なフレームを備える寝具構造の第１の実施例を示す図である。本実施例における寝具構造１は、拘束部１１、被覆部１２および数個のフレーム部１３を備える。拘束部１１は上面上に敷くことができるマット構造であり、被覆部１２の外縁周囲のみに設けることもでき、少なくとも一つの紐または少なくとも一つの伸縮バンドから構成され、拘束部１１を引き伸ばすだけで被覆部１２は上面上から突出した構造を形成できる。被覆部１２は拘束部１１と接続され、本実施例においては、被覆部１２はジッパーによって拘束部１１と接続されているが、両者を縫い合わせた構造にすることもできる。被覆部１２は少なくとも一つの開口部１４を備え、使用者（図示せず）は開口部１４から寝具構造１内部に進入する。
【００１３】
数個のフレーム部１３は、被覆部１２内に所定の配列で設けられ、本実施例においては、フレーム部１３は弾性部材であり、両端がお互いに接続されて一体に形成されているが、一体成型した構造にすることもできる。フレーム部１３には円形の曲面形状が形成され、貼合端１３３から１８０度向きを変えて、8字形状を呈している。即ち、フレーム部１３は少なくとも二つの弧状曲面１３１、１３１ａを備える構造となっている。それぞれの弧状曲面１３１は交差端１３２によって、もう一つの弧状曲面１３１ａと隣合い、フレーム部１３はさらに二つの貼合端１３３を備え、拘束部１１の外縁周囲と接し、交差端１３２を実質的な最高点としてフレーム部１３自身の弾力によって被覆部１２を支持して拘束部１１上に高さＨを形成している。
【００１４】
図４、５、６は本発明の展開収納可能なフレームを備える寝具構造の実施例の収納動作を示す図である。本実施例において、被覆部１２はさらに数個の制限体１２１を備え、各制限体１２１は被覆部１２上に平行に設置されて、被覆部１２が拘束部１１上において支持される補助となっており、制限体１２１内には軟性部材を備えることができる。以上の構造によって、一つのフレーム部１３は二つの制限体１２１間に位置し、数個のフレーム部１３は被覆部１２内に所定の配列で設けられ、これらの交差端１３２は後述する折り畳み線となる所定形状１２２に配列される。所定形状１２２は直線またはその他の形状にすることができる。寝具構造１を収納するとき、先ず、図４に示すように、フレーム部１３の対応するそれぞれの弧状曲面１３１ともう一つの弧状曲面１３１ａとを密着させ、被覆部１２を所定形状１２２の延長線を折り返し線として折畳みんで寝具構造１ａを半楕円形にした後、相対するそれぞれのフレーム部１３を密着させ、次いで被覆部１２を制限体１２１の延長線を折り返し線として交互に折り畳み、図６に示すような折り畳み形状１ｃにする。図５に示すように、本実施例の折り畳み構造１ｂは、その他の収納方法を有し、先ず対応するそれぞれのフレーム部１３を密着させ、被覆部１２を制限体１２１の延長方向を折り畳み線として折り畳み構造１ｂのように折り曲げた後、フレーム部１３の対応するそれぞれの弧状曲面１３１ともう一つの弧状曲面１３１ａとを密着させ、被覆部１２を所定形状１２２の延長線を折り返し線として折り畳み、図６に示すような寝具構造１ｃにすることもできる。
【００１５】
図７、８は本発明の結合部材の構造を示す図である。本実施例において、フレーム部１３はさらに少なくとも一つの結合部材１３４を備え、結合部材１３４は弾性部材であり、外力によって変形し、外力から開放すると元の形状に復元する。結合部材１３４は少なくとも二つの貫通孔１３５を備え、結合部材１３４が交差端１３２に設けられるとき、二つの貫通孔１３５には単一のフレーム部１３が通過し、交差した状態を呈して二つの弧状曲面１３１、１３１ａを接続する。仮に、被覆部１２に制限体１２１を設置しない場合、結合部材１３４によって、隣接するフレーム部１３の接する位置でそれぞれのフレーム部を二つの貫通孔１３５に通過させれば、これらのフレーム部１３同士を結合することができる
【００１６】
以下に述べる本発明の実施例において、大部分の部材は前述の実施例と同一または類似するので、同一の部材は直接同一の名称および符号を使用する。類似する部材は同一の名称するが、符号についてはアルファベットを付け足して区別を行なう。
【００１７】
図９、１０、１１、１２は本発明のフレーム部の実施例を示す平面図である。上述のフレーム部１３は単一の交差端１３２によって、それぞれの弧状曲面１３１ともう一つの弧状曲面１３１ａとが付き合わされる。図９に示すように、フレーム部１３ｂは三つの弧状曲面１３１、１３１ａ、１３１ｂを備え、弧状曲面１３１は交差端１３２によってもう一つの弧状曲面１３１ａと接して付き合う。もう一つの弧状曲面１３１ａはさらにもう一つの交差端１３２ａによってさらにもう一つの弧状曲面１３１ｂと接して付き合う。
【００１８】
図１０に示すフレーム部１３ｃにおいては、さらに少なくとも一つの連結フレーム１３６を備え、連結フレーム１３６はそれぞれ二つの交差端１３２、１３２ａによって二つの弧状曲面１３１、１３１ａと接続される。
【００１９】
図１１に示すフレーム部１３ｄにおいては、二つの連結フレーム１３６ａ、１３６ｂを備え、連結フレーム１３６ａはそれぞれ二つの交差端１３２ｂ、１３２ｃによって、それぞれ二つの弧状曲面１３１、１３１ａに接続され、もう一つの連結フレーム体１３６ｂもまたそれぞれ他の二つの交差端１３２ｄ、１３２ｅによって、二つの弧状曲面１３１、１３１ａと接続される。
【００２０】
図１２に示すフレーム部１３ｅにおいては、相互に交差する二つの連結フレーム１３６ｃ、１３６ｄを備え、連結フレーム１３６ｃはそれぞれ二つの交差端１３２ｆ、１３２ｇによって、それぞれ二つの弧状曲面１３１、１３１ａに接続されており、もう一つの連結フレーム１３６ｄもまたそれぞれ他の二つの交差端１３２ｈ、１３２ｉによって、二つの弧状曲面１３１、１３１ａに接続される。本技術に熟知するものは、上述の説明に基づいて構造を変更でき、その変更は本発明の主旨および範囲を逸脱しない。
【００２１】
図１３、１４は本発明の可動フレーム部の実施例の動作を示す正面図である。本実施例において、寝具構造１ｄはさらに可動フレーム部１５を備え、可動フレーム部１５は二つの接続端１５１によって被覆部１２と接続され、開口部１４の位置に対応する。可動フレーム部１５は被覆部１２内に設けることができ、被覆部１２と一体に形成される。可動フレーム部１５は被覆部１２と分離させ、二つの接続端１５１のみによって被覆部１２と接続することもできる。可動フレーム部１５内にはさらに少なくとも一つのフレーム部１３ａを備えることができ、被覆部１２内の数個のフレーム部１３と所定の配列を形成し、寝具構造１ｄを収納すると同時に可動フレーム部１５を収納することができる。可動フレーム部１５は二つの接続端１５１を軸心としており、回転移動運動を行い、第１の位置９１に移動させて開口部１４を密封させたり、第２の位置９２に移動させて開口部１４を開放させることができる。
【００２２】
図１５、１６は本発明の補助フレーム部の実施例を示す上面図である。本実施例において、被覆部１２内には数個のフレーム部１３が収容されるだけではなく、寝具構造１はさらに少なくとも一つの補助フレーム部１６を備える。補助フレーム部１６は弾性部材であり、被覆部１２内に設けられる。図１５に示すように、補助フレーム部１６ａは環状の形状であり、両端がそれぞれ拘束部１１の外縁周囲と隣合うので、寝具構造１ｅを収納するとき、対応するそれぞれのフレーム部１３とそれぞれの補助フレーム部１６ａとを密着させ、所定形状１２２の延伸方向に沿って折り曲げることによって収納を完成させることができる。
【００２３】
図１６においては、補助フレーム部１６ｂは環状の形状であり、両端はそれぞれ拘束部１１の外縁周囲および所定形状１２２の延長線方向と接するので、寝具構造１ｆを収納するとき、対応するそれぞれのフレーム部１３とそれぞれの補助フレーム部１６ｂとを密着させ、先の折り畳みの手順によりフレーム部１３の対応するそれぞれの弧状曲面１３１ともう一つの弧状曲面１３１ａおよび補助フレーム部１６ｂを密着させれば収納を行なうことができる。
【００２４】
図１７においては、補助フレーム部１６ｂは切欠１６１を備え、切欠１６１は拘束部１１の外縁周囲に対応しており、寝具構造１ｇを収納するときは寝具構造１ｆと同様の方法で収納を行なう。
【００２５】
図１８においては、補助フレーム部１６ｄは切欠１６１ａを備え、切欠１６１ａは所定形状１２２の延長方向に対応しており、寝具構造１ｈを収納するときは寝具構造１ｆと同様の方法で収納を行なう。
【００２６】
切欠１６１を備える補助フレーム部１６ｃは図１５に示す二つの制限体１２１間に一つだけ設置する設計にすることもでき、本技術に熟知するものは、上述の説明に基づいて構造を変更でき、その変更は本発明の主旨および範囲を逸脱しない。
【００２７】
図１９、２０は本発明の展開収納可能なフレームを備える寝具構造の第２の実施例を示す図である。本実施例による寝具構造２は拘束部２１、被覆部２２および数個のフレーム部２３を備える。被覆部２２は拘束部２１と接続され、被覆部２２は少なくとも一つの開口部２４を備え、使用者は開口部２４から寝具構造２内に進入する。数個のフレーム２３が被覆部２２内に放射状に配列して設けられている。フレーム部２３は弾性部材であり、一体成型にされている。数個のフレーム部２３が中心端２５において交差している。フレーム部２３はさらにそれぞれ中心端両側に位置する二つのフレーム体２３１、２３１ａからなり、二つのフレーム体はそれぞれ支持端２３２、２３２ａによって、拘束部２１の外縁周囲と接して中心端２５を実質的な最高点にし、二つの支持端２３２、２３２ａを拘束することによって、拘束部２１の外縁周囲に接してその弾力によって被覆部２２を支持し、拘束部２１から距離Ｄを形成している。もう一つの本実施例において、フレーム部２３は前述の実施例にさらに少なくとも二つの弧状曲面を備え、それぞれの弧状曲面は中心端によってもう一つの弧状曲面と隣合い、数個のフレーム部２３が中心端２５において交差する構造にすることもでき、本技術に熟知するものは、上述の説明に基づいて構造を変更でき、その変更は本発明の主旨および範囲を逸脱しない。
【００２８】
寝具構造２を収納するとき、対応するそれぞれのフレーム部２３を密着させ、フレーム部２３の対応する二つのフレーム体２３１、２３１ａをお互いに密着させて折り畳めば、寝具構造２を収納できる。中心端２５に図７、８に示す結合部材１３４を設置し、結合部材１３４によって数個のフレーム部２３を接続することもできる。
【００２９】
本発明による展開収納可能なフレームを備える寝具構造は少なくとも下記の長所を有する。
１  寝具としての機能を提供できる。
２  被覆物が使用者の体に貼合しないので、通気性が悪いために蒸れるのを低減できる。
３  幼児の遊戯道具として使用できる。
４  寝具構造の収容空間によって、幼児の隠れて遊びたい願望を満たすことができ、安全な遊戯施設を提供できる。
【００３０】
上述の説明は本発明の好適な実施例を示すものであり、本発明の実施範囲を限定するものではない。例えば寝袋、テント、掛け布団またはボールハウスなどに本発明の実施例を利用し、さらに変更を加えることができ、それらは全て本発明に属する。
【図面の簡単な説明】
【００３１】
【図１】本発明による収納可能なフレームを備える寝具構造の第１の実施例を示す上面図である。
【図２】本発明による収納可能なフレームを備える寝具構造の第１の実施例を            示す正面図である。
【図３】図１の線Ａ−Ａの断面図である。
【図４】本発明の収納動作を示す模式図である。
【図５】本発明の収納動作を示す模式図である。
【図６】本発明の収納動作を示す模式図である。
【図７】本発明の結合部材を示す上面図である。
【図８】本発明の結合部材を示す正面図である。
【図９】本発明のフレーム部の第２の実施例を示す上面図である。
【図１０】本発明のフレーム部の第３の実施例を示す上面図である。
【図１１】本発明のフレーム部の第４の実施例を示す上面図である。
【図１２】本発明のフレーム部の第５の実施例を示す上面図である。
【図１３】本発明の可動フレーム部の第１の動作を示す正面図である。
【図１４】本発明の可動フレーム部の第２の動作を示す正面図である。
【図１５】本発明の補助フレーム部の第１の実施例を示す上面図である。
【図１６】本発明の補助フレーム部の第２の実施例を示す上面図である。
【図１７】本発明の補助フレーム部の第３の実施例を示す上面図である。
【図１８】本発明の補助フレーム部の第４の実施例を示す上面図である。
【図１９】本発明による収納可能なフレームを備える寝具構造の第２の実施例を            示す上面図である。
【図２０】本発明による収納可能なフレームを備える寝具構造の第２の実施例を            示す正面図である。
【符号の説明】
【００３２】
１、１ａ、１ｂ、１ｃ、１ｄ、１ｅ、１ｆ、１ｇ、１ｈ、２  寝具構造
１１、２１    拘束部
１２、２２    被覆部
１２１  制限体
１２２  所定形状
１３、１３ａ、１３ｂ、１３ｃ、１３ｄ、１３ｅ、２３  フレーム部
１３１、１３１ａ、１３１ｂ  弧状曲面
１３２、１３２ａ、１３２ｂ、１３２ｃ、１３２ｄ、１３２ｅ、１３２ｆ、１３２ｇ、１３２ｈ、１３２ｉ  交差端
１３３  貼合端
１３４  結合部材
１３５  貫通孔
１３６、１３６ａ、１３６ｂ、１３６ｃ、１３６ｄ  連結フレーム体
１４、２４    開口部
１５    可動フレーム部
１５１  接続端
１６、１６ａ、１６ｂ、１６ｃ、１６ｄ  補助フレーム部
１６１、１６１ａ  切欠
２３１、２３１ａ  フレーム体
２３２、２３２ａ  支持端
２５    中心端
９１    第１の位置
９２    第２の位置
Ｈ      高さ
Ｄ      距離
【図１】
2007151697.tif 000003
【図２】
2007151697.tif 000004
【図３】
2007151697.tif 000005
【図４】
2007151697.tif 000006
【図５】
2007151697.tif 000007
【図６】
2007151697.tif 000008
【図７】
2007151697.tif 000009
【図８】
2007151697.tif 000010
【図９】
2007151697.tif 000011
【図１０】
2007151697.tif 000012
【図１１】
2007151697.tif 000013
【図１２】
2007151697.tif 000014
【図１３】
2007151697.tif 000015
【図１４】
2007151697.tif 000016
【図１５】
2007151697.tif 000017
【図１６】
2007151697.tif 000018
【図１７】
2007151697.tif 000019
【図１８】
2007151697.tif 000020
【図１９】
2007151697.tif 000021
【図２０】
2007151697.tif 000022